(57)【要約】【課題】  コスト高になることを抑制しながらも、大きさの異なる映像表示装置を設置することができるだけでなく、その設置作業を容易に行える映像表示装置の吊り下げ装置を提供する点にある。【解決手段】  映像表示装置１の裏面に、天井から垂設した支持部材Ｐに固定される取付部材を取り付け、取付部材を、映像表示装置１の裏面側で左右方向ほぼ中央に配置されるほぼ箱型のメイン部材５と、メイン部材５の左右壁に形成された孔に貫通してメイン部材５の左右に突出する棒状部材６と、メイン部材５から左右に突出した棒状部材６の左右両側部分に左右方向で位置変更自在に取り付け可能で、かつ、映像表示装置１の裏面に連結可能な左右一対のサブ部材７，８とを備え、支持部材Ｐの下端に備えさせたフランジ部３Ａとメイン部材５を構成する天板部５Ｃとを上下方向で一部が重複する状態で固定した。【選択図】        図７
2006317504.tif 000002
【特許請求の範囲】
【請求項１】
映像表示装置の裏面に、天井から垂設した支持部材に固定される取付部材を取り付け、前記取付部材を、前記映像表示装置の裏面側で左右方向ほぼ中央に配置されるほぼ箱型のメイン部材と、このメイン部材の左右壁に形成された孔に貫通して該メイン部材の左右に突出する棒状部材と、前記メイン部材から左右に突出した前記棒状部材の左右両側部分に左右方向で位置変更自在に取り付け可能で、かつ、前記映像表示装置の裏面に連結可能な左右一対のサブ部材とを備え、前記支持部材の下端に備えさせたフランジ部と前記メイン部材を構成する天板部とを上下方向で一部が重複する状態で固定してなる映像表示装置の吊り下げ装置。
【請求項２】
前記フランジ部に対して前記メイン部材の裏面側から挿通させて該フランジ部を該メイン部材の内部に位置させるとともに該フランジ部の上面に該メイン部材の天板部を載置支持させるための融通部を、該メイン部材に備えさせ、前記フランジ部とそれの上面に載置支持された天板部とを固定するための固定手段を備えさせてなる請求項１に記載の映像表示装置の吊り下げ装置。
【請求項３】
前記左右一対のサブ部材を前記棒状部材との連結部分とは上下方向において異なる部分で連結するための第２の棒状部材を設け、前記メイン部材の左右両側壁のうちの少なくとも一方の側壁に、それに形成の孔と連通して前記棒状部材を貫通可能な孔が形成され、かつ、前記第２の棒状部材が貫通する貫通孔が形成された板状部材を、該棒状部材を中心に設定角度揺動自在で、かつ、任意の揺動角度で姿勢保持可能に備えさせてなる請求項１又は２に記載の映像表示装置の吊り下げ装置。
【請求項４】
前記フランジ部の形状が平面視においてほぼ矩形状であり、前記メイン部材の天板部が前記フランジ部とほぼ同一外形からなり、前記固定手段が、前記フランジ部に形成されたボルト用貫通孔と、前記天板部に形成のボルト用貫通孔と、それら２つのボルト用貫通孔を挿通するボルト及び該挿通したボルトの先端が螺合するナット及び該フランジ部に形成された螺子孔とからなり、前記フランジ部の上面に前記天板部を載置支持した状態で該フランジ部に形成のボルト用貫通孔又は螺子孔と該天板部に形成のボルト用貫通孔とが一致するように構成してなる請求項１〜３のいずれかに記載の映像表示装置の吊り下げ装置。
【請求項５】
前記融通部を、前記メイン部材の裏面側板部に備えさせ、かつ、前記フランジ部を挿通可能な第１開口部と、前記フランジ部よりも小径な前記支持部材を該裏面側板部から該メイン部材の天板部のほぼ中心部まで挿通可能な第２開口部とから構成し、前記第１開口部及び前記第２開口部を閉じるためのカバー部材を前記メイン部材に取り外し自在に備えさせてなる請求項１記載の映像表示装置の吊り下げ装置。
【請求項６】
前記支持部材を筒状部材から構成し、前記筒状部材の内部空間を挿通させた電源コードを前記メイン部材内の空間内に備えさせたコンセントに接続してなる請求項１〜５のいずれかに記載の映像表示装置の吊り下げ装置。
【発明の詳細な説明】
【技術分野】
【０００１】
本発明は、プラズマディスプレイや液晶ディスプレイなどの薄型のディスプレイを天井から吊り下げ支持することができる映像表示装置の吊り下げ装置に関する。
【背景技術】
【０００２】
上記映像表示装置を天井から吊り下げるための吊り下げ装置としては、各種のものが既に提案されている。例えば円筒状の吊下部材の下端にねじ部を形成し、そのねじ部に、ほぼ門型の据付金具をそれの天板部に形成の貫通孔を挿通させて、据付金具の下端に突出した吊下部材のねじ部にナットを螺合することで据付金具を吊下部材に固定し、前記据付金具の左右の縦壁部の外面に、上面にガイドピンが立設された円筒状金具を左右外方側へ突設し、それら左右一対の円筒状金具に回動自在に支持し、かつ、前記ガイドピンと係合する長孔を有するほぼ円弧状の係止部材を映像表示装置の裏面に固定している。従って、左右両端に円筒状金具が備えられた据付金具を天井に固定した吊下部材に据え付け、この吊下部材の据付金具の円筒状金具に、例えばプラズマディスプレイの裏面に取り付けた左右一対の係止部材を左右一対の円筒状金具に載せてプラズマディスプレイの重量を支えてから、プラズマディスプレイの角度を設定するようにしている（例えば、特許文献１参照。）。
【特許文献１】特開２００１−１４７６４６号公報（図１）
【発明の開示】
【発明が解決しようとする課題】
【０００３】
特に大型で重量のあるプラズマディスプレイを特許文献１の吊り下げ装置を用いて天井から吊り下げる場合には、設置作業自体はプラズマディスプレイの重量を円筒状金具にて支持させることで容易に行えるものの、据付金具の円筒状金具に載置する左右一対の係止部材の位置が、小型のプラズマディスプレイの左右一対の係止部材の位置と異なってしまうため、プラズマディスプレイの大きさに合わせて専用の吊り下げ装置を作製しなければならず、コスト高になっていた。
また、ガイドピンと係合する長孔を係止部材に備えさせることによって、係止部材の保形強度が低下してしまうことから、係止部材もプラズマディスプレイの重量に合わせて厚みなどを考慮して作製しなければならないものであった。
また、左右一対のガイドピンに左右一対の係止部材の長孔を合わせながら係止させる作業がやりにくく、プラズマディスプレイの吊り下げ作業（設置作業）が手間のかかる煩わしい作業になっていた。
【０００４】
本発明が前述の状況に鑑み、解決しようとするところは、コスト高になることを抑制しながらも、大きさの異なる映像表示装置を設置することができるだけでなく、その設置作業を容易に行える映像表示装置の吊り下げ装置を提供する点にある。
【課題を解決するための手段】
【０００５】
本発明は、前述の課題解決のために、映像表示装置の裏面に、天井から垂設した支持部材に固定される取付部材を取り付け、前記取付部材を、前記映像表示装置の裏面側で左右方向ほぼ中央に配置されるほぼ箱型のメイン部材と、このメイン部材の左右壁に形成された孔に貫通して該メイン部材の左右に突出する棒状部材と、前記メイン部材から左右に突出した前記棒状部材の左右両側部分に左右方向で位置変更自在に取り付け可能で、かつ、前記映像表示装置の裏面に連結可能な左右一対のサブ部材とを備え、前記支持部材の下端に備えさせたフランジ部と前記メイン部材を構成する天板部とを上下方向で一部が重複する状態で固定して、映像表示装置の吊り下げ装置を構成した。
上記のようにサブ部材を棒状部材に対して位置変更することによって、映像表示装置に対するサブ部材の取り付け位置を一致させることができる。しかも、ほぼ箱型のメイン部材に棒状部材を貫通させるだけでなく、特に映像表示装置の荷重が加わるメイン部材の天板部に支持部材の下端のフランジ部の一部を上下方向で重ね合わせた状態で連結固定することによって、その部分が変形することがなく、大幅な強度アップを図ることができる。
【０００６】
前記フランジ部に対して前記メイン部材の裏面側から挿通させて該フランジ部を該メイン部材の内部に位置させるとともに該フランジ部の上面に該メイン部材の天板部を載置支持させるための融通部を、該メイン部材に備えさせ、前記フランジ部とそれの上面に載置支持された天板部とを固定するための固定手段を備えさせてもよい。
【０００７】
前記左右一対のサブ部材を前記棒状部材との連結部分とは上下方向において異なる部分で連結するための第２の棒状部材を設け、前記メイン部材の左右両側壁のうちの少なくとも一方の側壁に、それに形成の孔と連通して前記棒状部材を貫通可能な孔が形成され、かつ、前記第２の棒状部材が貫通する貫通孔が形成された板状部材を、該棒状部材を中心に設定角度揺動自在で、かつ、任意の揺動角度で姿勢保持可能に備えさせてもよい。
【０００８】
前記フランジ部の形状が平面視においてほぼ矩形状であり、前記メイン部材の天板部が前記フランジ部とほぼ同一外形からなり、前記固定手段が、前記フランジ部に形成されたボルト用貫通孔と、前記天板部に形成のボルト用貫通孔と、それら２つのボルト用貫通孔を挿通するボルト及び該挿通したボルトの先端が螺合するナット及び該フランジ部に形成された螺子孔とからなり、前記フランジ部の上面に前記天板部を載置支持した状態で該フランジ部に形成のボルト用貫通孔又は螺子孔と該天板部に形成のボルト用貫通孔とが一致するように構成してもよい。
【０００９】
前記融通部を、前記メイン部材の裏面側板部に備えさせ、かつ、前記フランジ部を挿通可能な第１開口部と、前記フランジ部よりも小径な前記支持部材を該裏面側板部から該メイン部材の天板部のほぼ中心部まで挿通可能な第２開口部とから構成し、前記第１開口部及び前記第２開口部を閉じるためのカバー部材を前記メイン部材に取り外し自在に備えさせてもよい。
【００１０】
前記支持部材を筒状部材から構成し、前記筒状部材の内部空間を挿通させた電源コードを前記メイン部材内の空間内に備えさせたコンセントに接続してもよい。
【発明の効果】
【００１１】
サブ部材を棒状部材に対して位置変更することによって、映像表示装置に対するサブ部材の取り付け位置を一致させることができるから、映像表示装置の大きさに応じてサブ部材の取り付け位置を変更するだけで、同一の取付部材にて大きさの異なる映像表示装置を吊り下げることができ、その分コストの低減化を図ることができる。しかも、ほぼ箱型のメイン部材とそれに貫通突出する棒状部材とから構成することによって、左右一対のガイドピンに左右一対の係止部材の長孔を係止させる構成に比べて、強度面において有利になる。さらに、映像表示装置の荷重が加わるメイン部材の天板部に支持部材の下端のフランジ部の一部を上下方向で重ね合わせた状態で連結固定することによって、その部分が変形することがなく、大幅な強度アップを図ることができ、強度面（耐久面）においても有利になる。
【００１２】
メイン部材の融通部を通して支持部材の下端のフランジ部の上面にメイン部材の天板部を載置支持させることによって、左右一対のガイドピンに左右一対の係止部材の長孔を合わせながら係止させる構成に比べて、載置作業を容易迅速に行うことができ、設置作業を容易に行える映像表示装置の吊り下げ装置を提供することができる。
【００１３】
左右一対のサブ部材を棒状部材との連結部分とは上下方向において異なる部分で連結するための第２の棒状部材を設けることによって、取付部材の強度アップを図ることができる。メイン部材の左右両側壁のうちの少なくとも一方の側壁に、それに形成の孔と連通して棒状部材を貫通可能な孔が形成され、かつ、第２の棒状部材が貫通する貫通孔が形成された板状部材を、棒状部材を中心に設定角度揺動自在で、かつ、任意の揺動角度で姿勢保持可能に備えさせることによって、第２の棒状部材を移動させて板状部材を揺動させることで、映像表示装置の仰角を変更することができる。
【００１４】
フランジ部の形状が平面視においてほぼ矩形状であり、メイン部材の天板部がフランジ部とほぼ同一外形からなり、固定手段が、前記フランジ部に形成されたボルト用貫通孔と、天板部に形成のボルト用貫通孔と、それら２つのボルト用貫通孔を挿通するボルト及び挿通したボルトの先端が螺合するナット及びフランジ部に形成された螺子孔とからなり、フランジ部の上面に天板部を載置支持した状態でフランジ部に形成のボルト用貫通孔又は螺子孔と天板部に形成のボルト用貫通孔とが一致するように構成することによって、メイン部材の融通部を通して支持部材の下端のフランジ部をメイン部材の内部に位置させてフランジ部の上面にメイン部材の天板部を載置するだけで、フランジ部に形成のボルト用貫通孔又は螺子孔と天板部に形成のボルト用貫通孔とを一致させることができるから、２つのボルト用貫通孔にボルトを通してからそれの先端を螺子孔に直ちに螺合させる、又は２つのボルト用貫通孔にボルトを通してそれの先端にナットを螺合させることができ、両者を迅速に固定することができる。
【００１５】
融通部を、メイン部材の裏面側板部に備えさせ、かつ、フランジ部を挿通可能な第１開口部と、フランジ部よりも小径な支持部材を裏面側板部からメイン部材の天板部のほぼ中心部まで挿通可能な第２開口部とから構成し、第１開口部及び第２開口部を閉じるためのカバー部材をメイン部材に取り外し自在に備えさせることによって、メイン部材の内部を見えない状態にしながらも、メイン部材の保形強度を向上させることができる。
【００１６】
支持部材を筒状部材から構成し、筒状部材の内部空間を挿通させた電源コードをメイン部材内の空間内に備えさせたコンセントに接続することによって、電源コードだけでなく、コンセントをも外部に露呈することがない。
【発明を実施するための最良の形態】
【００１７】
図１〜図４に、映像表示装置の一例であるプラズマディスプレイ１を天井から吊り下げた状態で取り付けることができる吊り下げ装置を示している。ここでは、特に大型で重量のある３７インチ〜５０インチ（場合によっては５０インチを越える大きさ）のプラズマディスプレイ（液晶ディスプレイでもよい）を取り付ける場合に有利となるが、３７インチ未満のプラズマディスプレイ（液晶ディスプレイでもよい）であってもよい。前記ディスプレイは、パソコン、ビデオテープデッキ、ＤＶＤプレーヤーなどの映像再生装置からの映像を映し出すだけでなく、チューナーを備えたテレビジョンとして利用することができるものも含むものとする。又、前記ディスプレイとしては、プラズマディスプレイや液晶ディスプレイの他、薄型の各種のディスプレイを吊り下げる場合に特に有利であるが、場合によってはＣＲＴディスプレイを吊り下げることもできる。図では１台のプラズマディスプレイ１を吊り下げ装置にて吊り下げた場合を示しているが、小型のプラズマディスプレイ１であれば、複数台（２台以上）を吊り下げ装置にて吊り下げることもできる。図示していないが、具体的には、後述するサブ部材７，８間に上下方向に沿って複数台のプラズマディスプレイ１を取り付けることになる。
【００１８】
前記吊り下げ装置は、図２、図４及び図５に示すように、天井裏から垂設し、天井２を貫通させた金属製（ほぼ同等の強度を有するものであれば、他の材質であってもよい）の円筒状金属製パイプＰの下端に下方から上方へ向けて移動させて外嵌した後、貫通用のボルトＢ１及び螺合用の袋ナットＮ１にて固定され、下端外周に矩形状（図ではほぼ正方形であるが長方形でもよい）のフランジ部３Ａが溶接により固定された支持部材としての金属製（ほぼ同等の強度を有するものであれば、他の材質であってもよい）の円筒状部材（角筒状であってもよい）３に固定される取付部材４からなり、この取付部材４は、前記プラズマディスプレイ１の裏面側で左右方向ほぼ中央に配置されるほぼ箱型のメイン部材５と、このメイン部材５の左右壁５Ａ，５Ｂに形成された孔５ａ，５ｂに貫通して該メイン部材５の左右に突出する円筒パイプからなる棒状部材６と、前記メイン部材５から左右に突出した前記棒状部材６の左右両側部分に左右方向で位置変更自在に取り付け可能で、かつ、前記プラズマディスプレイ１の裏面に連結可能な左右一対のサブ部材７，８とを備え、前記支持部材３の下端に備えさせたフランジ部３Ａに対して前記メイン部材５の裏面側から挿通させて該フランジ部３Ａを該メイン部材５の内部に位置させるとともに該フランジ部３Ａの上面に該メイン部材５の天板部５Ｃを載置支持させるための融通部Ｕを、該メイン部材５に備えさせ、前記フランジ部３Ａとそれの上面に載置支持された天板部５Ｃとを固定するための固定手段を備えさせている。
【００１９】
前記左右一対のサブ部材７，８を前記棒状部材６との連結部分とは上下方向において異なる部分、つまり上下方向下側部分で連結するための円筒パイプからなる第２の棒状部材９を設け、前記メイン部材５の左右両側壁５Ａ，５Ｂの外面側に、それに形成の孔５ａ，５ｂと連通して前記棒状部材６を貫通可能な孔１０Ａ，１１Ａが上側に形成され、かつ、前記第２の棒状部材９が貫通する貫通孔１０Ｂ，１１Ｂが下側に形成された縦長状の左右一対の板状部材１０，１１を、該棒状部材６を中心に設定角度揺動自在で、かつ、任意の揺動角度で姿勢保持可能に備えさせている。
【００２０】
詳述すれば、前記各板状部材１０又は１１の上下方向ほぼ中間部に前記棒状部材６を中心とする曲率半径にて円弧を描くことができる上下一対の円弧状の長孔１０Ｃ，１０Ｄ又は１１Ｃ，１１Ｄを形成し、それら長孔１０Ｃ，１０Ｄ、１１Ｃ，１１Ｄを介して板状部材１０，１１を設定角度揺動自在に構成すると共に任意の揺動角度で固定可能とするためのボルトＢ２，Ｂ３とメイン部材５の左右両側壁５Ａ，５Ｂの貫通孔５ｃ，５ｄを通してメイン部材５の内部に突出した該ボルトＢ２，Ｂ３の先端に螺合するナットＮ２，Ｎ３を備えている。従って、ボルトＢ２，Ｂ３を緩めることにより、第２の棒状部材９を持って前後方向に移動させて、板状部材１０，１１を揺動操作することで、プラズマディスプレイ１を任意の仰角に調節することができるようになっている。図８（ａ）の垂直姿勢（図９の実線）から図８（ｂ）の下方へ最も傾けた傾斜姿勢（図９の２点鎖線）とを示している。前記角度調節後は、ボルトＢ２，Ｂ３を締め付けることによって、その揺動位置でプラズマディスプレイ１を固定することができる。前記板状部材１０，１１の下側の後端に内方側にほぼ９０度折り曲げた折り曲げ部１０Ｅ，１１Ｅを備え、それら折り曲げ部１０Ｅ，１１Ｅを板状の連結部材１２にてボルトＢ４を介して連結している。
【００２１】
前記フランジ部３Ａの形状が平面視においてほぼ矩形状（正方形）であり、前記メイン部材５の天板部５Ｃが前記フランジ部３Ａとほぼ同一外形の矩形状（正方形）からなり、前記固定手段が、前記フランジ部３Ａの四隅に形成されたボルト用貫通孔３ａと、前記天板部５Ｃに形成のボルト用貫通孔５ｅと、前記フランジ部３Ａの下端に重ね合わせて該フランジ部３Ａの保形強度を高めると共に中心部に円筒状部材３の下端開口と連通する開口３Ｋが形成された板状の補助フランジ部３Ｂと、前記ボルト用貫通孔５ｅ，３ａを挿通して前記フランジ部３Ｂに形成の螺子孔３ｂに螺合するボルトＢ５とからなり、前記フランジ部３Ａの上面に前記天板部５Ｃを載置支持した状態で該フランジ部３Ａに形成のボルト用貫通孔３ａと該天板部５Ｃに形成のボルト用貫通孔５ｅとが一致するように構成してあり、補助フランジ部３Ｂをフランジ部３Ａの下面に当て付けた状態で上方からボルトＢ５をボルト用貫通孔５ｅ，３ａを挿通させてから、補助フランジ部３Ｂの螺子孔３ｂに螺合させることで、天板部５Ｃ、フランジ部３Ａ、補助フランジ部３Ｂを一体化して固定できるようにしている。ここでは、補助フランジ部３Ｂを後から固定する場合を示したが、補助フランジ部３Ｂをフランジ部３Ａの下面に溶接などにより固定してもよいし、フランジ部３Ａ自体を厚くして補助フランジ部３Ｂを省略することもできる。又、螺子孔３ｂに代えてナットを備えさせてボルトＢ５の先端に螺合させて固定する構成であってもよい。
【００２２】
前記融通部Ｕを、前記メイン部材５の裏面側板部５Ｄに備えさせ、かつ、前記フランジ部３Ａを挿通可能なほぼ長方形状の第１開口部５Ｍと、前記フランジ部３Ａよりも小径な前記支持部材３を該裏面側板部５Ｄから該メイン部材５の天板部５Ｃのほぼ中心部まで挿通可能なほぼＵ字状の第２開口部５Ｎとから構成しているが、融通部Ｕの形状は図に示される形状以外であってもよい。又、前記第１開口部５Ｍ及び前記第２開口部５Ｎを閉じるためのほぼコの字状のカバー部材１３を前記メイン部材５にボルトＢ６及び前記ボルトＢ５にて取り外し自在に備えさせている。前記カバー部材１３は、Ｕ字状の第２開口部５Ｎの一部を覆う水平方向の天板部１３Ａと、この天板部１３Ａの端部から下方に延びると共に第２開口部５Ｎの一部及び第１開口部５Ｍを閉塞するための縦板部１３Ｂと、この縦板部１３Ｂの下端から前方側へ延びると共にメイン部材５の下端の後方側の開口を閉塞するための湾曲板部１３Ｃとからなっている。
【００２３】
前記円筒状の支持部材３の内部空間を挿通させた電源コード（図示せず）を前記メイン部材５内の空間内に備えさせたコンセント１４に接続している。前記コンセント１４は、メイン部材５を構成する底板部５Ｅにビス止めされているが、他の部分に固定してもよいが、場合によっては、電源コードの端部に接続されたコンセント１４を固定しないでメイン部材５の空間内に浮いた状態で備えさせてもよい。
【００２４】
前記サブ部材７，８について説明すれば、プラズマディスプレイ１の裏面に備えている取付金具（図示せず）に取り付けるための取付孔７ａ又は８ａが上下方向に多数形成された縦長状の前板部７Ａ又は８Ａ（取付孔７ａ又は８ａにボルトＢ９を挿通してその先端をプラズマディスプレイ１にねじ込んで固定する）と、この前板部７Ａ又は８Ａの左右両端部からそれぞれ後方へ延びる左右一対の横板部７Ｂ，７Ｃ又は８Ｂ，８Ｃとからなる平面視ほぼコの字状のチャンネル部材からなっている。そして、前記のように構成されたサブ部材７，８の上下方向２箇所に開口端側から入り込ませてボルトＢ７とナットＮ４により固定される上下一対のブラケット１５，１６を設け、それらブラケット１５，１６に、前記上下一対の棒状部材６，９を押し付けてボルトＢ８により固定するための半円状の押圧部材１７，１７を設けている。前記棒状部材６，９には、サブ部材７，８の外側への移動を接当阻止するためのβピン１８及び前記支持部材３の左右方向への移動を接当阻止するための左右両側に位置させたβピン１９，１９を差し込んでいるが、他のものであってもよいし、場合によっては無くてもよい。
【００２５】
前記吊り下げ装置にてプラズマディスプレイ１を天井から吊り下げる場合には、図７に示すように、サブ部材７，８をプラズマディスプレイ１の裏面にボルト固定し、メイン部材５、板状部材１０，１０に棒状部材６，９を貫通してからβピン１９を差し込み、続いて棒状部材６，９の両端をサブ部材７，８に押圧部材１７を介して固定するとともにβピン１８を差し込んでおく。次に、プラズマディスプレイ１を矢印の方向へ移動させて、支持部材３のフランジ部３Ａを、メイン部材５の内部空間内に融通部Ｕを通して位置させてから、フランジ部３Ａの上面にメイン部材５の天板部５Ｃを載置させる。このようにプラズマディスプレイ１の全重量をフランジ部３Ａに支持させた状態から前記フランジ部３Ａの下端面に補助フランジ部３Ｂを下方から重ね合わせて、ボルトＢ５にてメイン部材５、フランジ部３Ａ、補助フランジ部３Ｂを一体化した状態で一部を固定する。この後、カバー部材１３を被せてから残りのボルトＢ５を用いて、カバー部材１３、メイン部材５、フランジ部３Ａ、補助フランジ部３Ｂを一体化した状態で固定して、プラズマディスプレイ１の吊り下げ作業を終了するのである。
【００２６】
図１０に示すように、小型のプラズマディスプレイ１を吊り下げる場合には、前記棒状部材６，９のうちの下側の棒状部材９を省略して実施してもよい。この場合、上側の棒状部材６の回転に伴って前記板状部材１０，１１が一体的に揺動できるように該棒状部材６と該板状部材１０，１１とを溶接などにより一体化しておく必要がある。
【００２７】
図１１〜図１５に他の吊り下げ装置を示している。大きく構成の異なる点を中心に説明すれば、図１〜図１０では、サブ部材７，８をコの字状に構成しているが、図１１〜図１５では、ほぼＺ字状に構成している。つまり、プラズマディスプレイ１の裏面に接当する該裏面と平行に構成され、かつ、連結用のボルトＢ９が挿通可能な取付孔７ａを多数備えた第１板部７Ａ又は８Ａと、この第１板部の内端から９０度折り曲げられて後方へ向かう直線状の第２板部７Ｂ又は８Ｂと、この第２板部７Ｂ又は８Ｂの後端から９０度折り曲げられて左右方向内方へ向かう直線状に構成され、かつ、前記押圧部材１７をボルトＢ８止めするための螺子孔７ｂが形成された第３板部７Ｃ又は８Ｃとからなっているが、他の構成であってもよい。このようなほぼＺ字状に構成することによって、前記ブラケット１５，１６を省略することができ、部品点数を削減することができるだけでなく、組み付け面においても有利になる。
【００２８】
又、前記βピン１８，１９を省略している。その代わりに、図１３に示すように、棒状部材６，９をメイン部材５に貫通させてから、メイン部材５内に位置している部位それぞれに平板部材２０をボルト止めすることによって、メイン部材５に対する棒状部材６，９の位置決めを行えるストッパー部材として機能できるようにしている。つまり、メイン部材５に対して棒状部材６，９が左右方向に移動しようとする時に、平板部材２０，２０の左右一端が左右壁５Ａ又は５Ｂの一方の内面に接当することによって、棒状部材６，９がメイン部材５に対して常に所定の位置となるようにしている。尚、前記ストッパー部材２０の形状は図に示される形状以外のものであってもよい。
【００２９】
又、図５では、前記メイン部材５に天板部５Ｃから裏面に渡る切欠き５Ｎ，Ｕを備えさせたが、図１３及び図１４では、天板部５Ｃに貫通孔５Ｋを備えさせたものに構成し、前記円筒状部材（支持部材）３をそれの上端から背面開口５Ｓを通して貫通孔５Ｋへ挿入した後、ドーナツ状の補強部材２０を円筒状部材２０の上端から貫通させて天板部５Ｃを補強部材２０とフランジ部３Ａとで挟み込む。この状態から補強部材２０とフランジ部３ＡとをボルトＢ５にて締め付けて両者を固定するのである。前記補強部材２０は、外側円周部２０Ｂと、この外側円周部２０Ｂに対して少し下方に段部を介して低くなっている内側円周部２０Ａとからなり、この内側円周部２０Ａと外側円周部２０Ｂとの段部が前記天板部５Ｃの貫通孔５Ｋに嵌り込んで位置決めできるようになっているが、他の構成であってもよい。このように、補強部材２０とフランジ部３Ａと天板部５Ｃの一部を上下方向で重複する状態で挟み込んで固定することによって、特にプラズマディスプレイの荷重が加わる部分での強度アップを飛躍的に図ることができるが、補強部材２０を省略して実施することもできる。
【００３０】
又、図１〜図１０では、角度調節のための貫通孔（長孔）を２つ１０Ｃ，１０Ｄ、１１Ｃ，１１Ｄ形成したが、図１１〜図１５では、１つの貫通孔１０Ｄのみを形成して実施することによって、調節のためのボルト操作を半減することができる。尚、図１１〜図１５で説明しなかった他の構成は、図１〜図１０のものとほぼ同一であるため、同一の符号を付すとともに説明を省略するものとする。
【図面の簡単な説明】
【００３１】
【図１】プラズマディスプレイを吊り下げるための吊り下げ装置の斜視図である。
【図２】吊り下げ装置の正面図である。
【図３】吊り下げ装置の平面図である。
【図４】吊り下げ装置の一部省略した正面図である。
【図５】吊り下げ装置の一部省略した分解斜視図である。
【図６】吊り下げ装置の分解斜視図である。
【図７】吊り下げ装置にてプラズマディスプレイを吊り下げる前の状態を示す斜視図である。
【図８】（ａ）はプラズマディスプレイを垂直姿勢にした状態の側面図、（ｂ）はプラズマディスプレイを最大限傾けた傾斜姿勢を示す側面図である。
【図９】プラズマディスプレイを吊り下げた状態の取付部を示す側面図である。
【図１０】別の吊り下げ装置を示す斜視図である。
【図１１】第２の吊り下げ装置の斜視図である。
【図１２】第２の吊り下げ装置の正面図である。
【図１３】第２の吊り下げ装置の分解斜視図である。
【図１４】第２の吊り下げ装置の一部省略した分解斜視図である。
【図１５】第２の吊り下げ装置にてプラズマディスプレイを吊り下げた状態の斜視図である。
【符号の説明】
【００３２】
１  プラズマディスプレイ
２  天井
３Ａ  フランジ部
３Ｂ  フランジ部
３ａ  ボルト用貫通孔
３  円筒状部材（支持部材）
３Ｋ  開口
３ｂ  螺子孔
４  取付部材
５ｅ  ボルト用貫通孔
５Ｅ  底板部
５  メイン部材
５Ｍ，５Ｎ  開口部
５Ｃ  天板部
５Ｄ  裏面側板部
５ｃ，５ｄ  貫通孔
５ａ，５ｂ  孔
５Ａ，５Ｂ  左右壁
６，９  棒状部材
７ａ，８ａ  取付孔
７Ａ，８Ａ  前板部
７Ｂ，７Ｃ，８Ｂ，８Ｃ  横板部
７Ａ，７Ｂ，７Ｃ  板部
８Ａ，８Ｂ，８Ｃ  板部
７，８  サブ部材
９  棒状部材
１０，１１  板状部材
１０Ｃ，１０Ｄ  貫通孔
１０Ｂ，１１Ｂ         貫通孔
１０Ｅ，１１Ｅ  部
１２  連結部材
１３  カバー部材
１３Ｂ  縦板部
１３Ａ  天板部
１３Ｃ  湾曲板部
１４  コンセント
１５，１６  ブラケット
１７，１７  押圧部材
１８，１９  ピン
２０  平板部材
Ｂ１〜Ｂ９  ボルト
Ｎ１〜Ｎ４  ナット
Ｐ  円筒状金属製パイプ
Ｕ  融通部
【図１】
2006317504.tif 000003
【図２】
2006317504.tif 000004
【図３】
2006317504.tif 000005
【図４】
2006317504.tif 000006
【図５】
2006317504.tif 000007
【図６】
2006317504.tif 000008
【図７】
2006317504.tif 000009
【図８】
2006317504.tif 000010
【図９】
2006317504.tif 000011
【図１０】
2006317504.tif 000012
【図１１】
2006317504.tif 000013
【図１２】
2006317504.tif 000014
【図１３】
2006317504.tif 000015
【図１４】
2006317504.tif 000016
【図１５】
2006317504.tif 000017